(57)【要約】【課題】先軸、後軸及びインクタンクの３部材によって固定することにより、軸筒の固定を確実にすることができる筆記具を提供する。【解決手段】先軸と、後軸とが組み合わされてなる軸筒と、軸筒に収容されるインクタンクとを備えた筆記具であって、先軸には、先軸内方突起が設けられ、先軸の後端と、インクタンクとの間には、先軸内方突起の高さによる間隙が形成され、先軸の後端が先軸内方突起を支点として、後軸により押圧されるように形成された。【選択図】図２
2015202585.tif 000002
【特許請求の範囲】
【請求項１】
先端側に位置する先軸と、後端側に位置する後軸とが組み合わされてなる筒状の軸筒と、前記軸筒の内部に収容される筒状のインクタンクとを備えた筆記具であって、
前記インクタンクの先端側は、前記先軸の後端の内周に嵌入され、前記先軸のうち前記インクタンクが嵌入される部分及び前記インクタンクのうち前記先軸から露出している部分は前記後軸の先端の内周に嵌入され、
前記先軸が前記インクタンクと接する内側面には、内方へ突出する先軸内方突起が設けられ、
前記インクタンクが前記先軸と接する外側面には、外方へ突出するとともに、前記先軸内方突起と係合するインクタンク外方突起が設けられ、かつ、前記インクタンク外方突起は、前記先軸内方突起より筆記具の前方側に位置するように形成され、
前記先軸の前記先軸内方突起より後方の部分である先軸後端部と、前記インクタンクとの間には、該先軸内方突起の高さによる間隙が形成され、前記後軸が前記先軸を被覆する部分は、前記先軸後端部が該先軸内方突起を支点として、前記間隙を圧縮し、前記先軸後端部を押圧するように形成されていることを特徴とする筆記具。
【請求項２】
前記先軸内方突起及び前記インクタンク外方突起のうち何れか一方が円環状に形成されたことを特徴とする請求項１記載の筆記具。
【請求項３】
前記先軸内方突起及び前記インクタンク外方突起のうち円環状に形成されていない他方は、複数個の突起として形成されていることを特徴とする請求項２記載の筆記具。
【請求項４】
前記先軸が前記後軸と接する外側面には、外方へ突出する先軸外方突起が設けられ、
前記後軸が前記先軸と接する内側面には、内方へ突出するとともに前記先軸外方突起と係合する後軸内方突起が設けられ、かつ、前記後軸内方突起は、前記先軸外方突起より筆記具の前方側に位置するように形成されたことを特徴とする請求項１、２又は３記載の筆記具。
【発明の詳細な説明】
【技術分野】
【０００１】
本発明は、内部にインクタンクを有する筆記具に関するものである。
【背景技術】
【０００２】
従来、ボールペンチップやフェルトチップ等の筆記先端を有し、内部に比較的流動性の高いインクを収容する筆記具が提供されている。
また、このような筆記具の外部構造である軸筒は、軸筒の先端側の部材である先軸と、先軸の後端に固定される部材である後軸とから構成され、この軸筒内部にインクタンクが固定されることとなっていた。この軸筒の固定方法は、先軸の外周面及び後軸の内周面に各々突起が設けられ、一方の突起が他方の突起を乗り越えて固定するというものである。また、インクタンクは、その先端部分が先軸に固定されていた。
【０００３】
このような筆記具として、下記の特許文献１に記載されるものがある。
下記の特許文献１の筆記具には、上記記載の先軸及び後軸に相当する部材に各々突起が設けられており、一方の突起が他方の突起を乗り越えて固定しているものが開示されている。また、上記記載のインクタンクに相当する部材は、先軸の後端から先軸の内部に挿入固定されている。
【先行技術文献】
【特許文献】
【０００４】
【特許文献１】特開２００４−３０６５５１
【発明の概要】
【発明が解決しようとする課題】
【０００５】
しかし、突起の設計上の微妙な誤差により、一方の突起が他方の突起を乗り越えても、うまく抜け止めとして作用し合わないと、何らかの衝撃等で先軸又は後軸が外れやすくなってしまい、仮に外れた場合には筆記具内のインクが漏れてしまうことが想定される。さらに、先軸の内部に挿入固定されているインクタンクの固定が緩んでしまった場合にも、インク漏れが生ずることが考えられる。
そこで、本発明は、軸筒の固定方法として、従来の先軸及び後軸の２部材のみの固定から、先軸、後軸及びインクタンクの３部材によって固定することにより、軸筒の固定を確実にすることができる筆記具を提供することを課題とする。
【課題を解決するための手段】
【０００６】
上記の課題を解決するため、本発明は以下のような構成を有する。
（第１の発明）
本願のうち第1の発明は、先端側に位置する先軸11と、後端側に位置する後軸12とが組み合わされてなる筒状の軸筒10と、軸筒10の内部に収容される筒状のインクタンク13とを備えた筆記具1であって、インクタンク13の先端側は、先軸11の後端の内周に嵌入され、先軸11のうちインクタンク13が嵌入される部分及びインクタンク13のうち先軸11から露出している部分は後軸12の先端の内周に嵌入され、先軸11がインクタンク13と接する内側面には、内方へ突出する先軸内方突起11aが設けられ、インクタンク13が先軸11と接する外側面には、外方へ突出するとともに、先軸内方突起11aと係合するインクタンク外方突起13aが設けられ、かつ、インクタンク外方突起13aは、先軸内方突起11aより筆記具1の前方側に位置するように形成され、先軸11の先軸内方突起11aより後方の部分である先軸後端部と、インクタンク13との間には、先軸内方突起11aの高さによる間隙が形成され、後軸12が先軸11を被覆する部分は、先軸後端部が先軸内方突起11aを支点として、間隙を圧縮し、先軸後端部を押圧するように形成されていることを特徴とする。
【０００７】
先軸11とは、筆記具1の外部構造のうち、先端は円錐台形状をしており、筒形状を呈する部材であって、筆記先端40等が収容される。
後軸12とは、筆記具1の外部構造のうち、後端が閉鎖している筒形状であって、先端の内周に先軸11が嵌入している。
このとき、後軸12は、先軸11が挿入される入り口の内径を先軸11の後端側の外径と同一又はやや長く形成している。また、後軸12は、先軸11が嵌入した際に先軸11の後端を被覆する位置の径が縮径するように形成されている。
【０００８】
インクタンク13とは、筆記具1において、インクを直接収容する部材であり、後端が閉鎖している筒形状の外観を呈している。
なお、インクタンク外方突起13aが先軸内方突起11aより筆記具1の前方側に位置する理由は、先軸11を後軸12から引き抜こうとしても、先軸内方突起11aがインクタンク外方突起13aに接触し、インクタンク外方突起13aが抜け止めとして作用するので、先軸11が外れることを防止できるためである。
そして、インクタンク13を先軸11に挿入した際に、先軸内方突起11aの高さにより、先軸11の後端側の内周面とインクタンク13の先端側の外周面との間に間隙が生じる。さらに、後軸12が先軸内方突起11aより先軸11の後端側を示す、先軸後端部を押圧することで、先軸後端部が内方に圧縮され、先軸内方突起11aが支点となり間隙を圧縮し、先軸後端部をインクタンク13に押し当てて、先軸11、後軸12及びインクタンク13の３部材で固定したことを特徴とする。
【０００９】
（第２の発明）
また、本願のうち第２の発明は、上記第１の発明の特徴に加え、先軸内方突起11a及びインクタンク外方突起13aのうち何れか一方が円環状に形成されたことを特徴とする。
この構成によれば、インクタンク13を挿入する際に、あらかじめ係合箇所の位置決めをしておかなくとも円滑にインクタンク13と先軸11とを固定することが可能となる。
（第３の発明）
また、本願のうち第３の発明は、上記第２の発明の特徴に加え、先軸内方突起11a及びインクタンク外方突起13aのうち円環状に形成されていない他方は、複数個の突起として形成されていることを特徴とする。
【００１０】
他方を複数個の突起とする理由は、以下の通りである。
仮に他方が溝であり、溝に嵌め込んで固定する場合では、一方の突起の高さによって生じる間隙が形成されなくなってしまう。そのため、突起が支点となり、後軸12が先軸後端部を押圧することで間隙を圧縮し、先軸後端部をインクタンク13に押し当てて固定することができなくなってしまうからである。
（第４の発明）
また、本願のうち第４の発明は、上記第１、２又は３の発明の特徴に加え、先軸11が後軸12と接する外側面には、外方へ突出する先軸外方突起11bが設けられ、後軸12が先軸11と接する内側面には、内方へ突出するとともに先軸外方突起11bと係合する後軸内方突起12bが設けられ、かつ、後軸内方突起12bは、先軸外方突起11bより筆記具1の前方側に位置するように形成されたことを特徴とする。
【００１１】
この構成によれば、後軸内方突起12bが先軸外方突起11bを乗り越え、先軸外方突起11bより後軸内方突起12bが筆記具1の前方側に位置することで、固定箇所を増やすことができる。
また、後軸内方突起12bが先軸外方突起11bより筆記具1の前方側に位置する理由は、先軸11を後軸12から引き抜こうとしても、先軸外方突起11bが後軸内方突起12bに接触し、後軸内方突起12bが抜け止めとして作用するので、先軸11が外れることを防止できるためである。
【００１２】
なお、先軸外方突起11bはネジ山の形状も含まれる。
【発明の効果】
【００１３】
本発明は、以上のように構成されているので、従来の先軸及び後軸の２部材のみの固定から、先軸、後軸及びインクタンクの３部材によって固定することにより、軸筒の固定を確実にすることができる筆記具を提供することができる。
【図面の簡単な説明】
【００１４】
【図１】第１の実施例に係るボールペンの正面図（Ａ）と縦断面図（Ｂ）。
【図２】図１（Ｂ）における軸筒の嵌合領域（Ｘ）の拡大図。
【図３】先軸の正面図（Ａ）と縦断面図（Ｂ）。
【図４】先軸にインク供給部、継手及びボールペンチップを挿入させた状態の縦断面図。
【図５】コレクターの縦断面図。
【図６】ボールペン先端を拡大させた縦断面図。
【図７】継手の斜視図（Ａ）、正面図（Ｂ）及び縦断面図（Ｃ）。
【図８】一次成形体の斜視図（Ａ）、正面図（Ｂ）及び縦断面図（Ｃ）。
【図９】二次成形体の斜視図（Ａ）、正面図（Ｂ）及び縦断面図（Ｃ）。
【図１０】第２の実施例に係るボールペンの正面図（Ａ）と縦断面図（Ｂ）。
【図１１】図１０（Ｂ）における軸筒の嵌合領域（Y）の拡大図。
【発明を実施するための形態】
【００１５】
以下、図面を参照しつつ、本発明の実施の形態を筆記具1として内部にコレクターを有するボールペン1を例に説明する。なお、本発明において、筆記具1及びその構成部品についての「前方」とは筆記先端40を筆記具1の先端とした場合の先端側を表し、「後方」とはその反対側を表すものとする。
（第１の実施例）
（全体構造）
ボールペン1は、図１（Ａ）及び（Ｂ）に示すように、先端に筆記ボール50を抱持したボールペンチップ40と、ボールペンチップ40にインクを供給するインク供給部30と、ボールペンチップ40及びインク供給部30を繋ぐ継手60と、ボールペンチップ40、継手60及びインク供給部30を内部に収納する軸筒10と、軸筒10先端に装着され、ボールペンチップ40の外周を覆うアウター20とを備えている。
【００１６】
（軸筒の構造）
図１（Ｂ）に示すように、軸筒10は、後端が閉鎖している筒形状のインクタンク13と、筒形状で先端は先細り形状をしており、後端の内周にインクタンク13の先端が嵌入している先軸11と、後端が閉鎖している筒形状で、先端の内周に先軸11の後端が嵌入している後軸12とからなる。
図１（Ｂ）に示すように、インクタンク13の外径は、先軸11後端の内径と略同径である。図２に示すように、インクタンク13の外周には、インクタンク13の先端から約１／３ほどの位置に、外方へ突出したインクタンク外方突起13aが設けられている。また、インクタンク13には図示しないインクが充填されている。
【００１７】
図１（Ｂ）に示すように、先軸11は略筒状で、先端は先細り形状をしている。先軸11の外周には、先軸11の後端から約１／３の位置に、外径が後軸12の外径と略同径で、後軸12の先端が当接する先軸鍔部15が設けられている。先軸11は先軸鍔部15を境に、後方の略円筒状をした先軸後部14と、前方の先細り形状をした先軸前部16とからなる。図２に示すように、先軸後部14の内周には、インクタンク13が先軸11に嵌入した際のインクタンク外方突起13aの直後に、内方へ突出した先軸内方突起11aが設けられている。
先軸後部14の外周には、先軸内方突起11aよりも前方に、複数の外方へ突出した先軸外方突起11bが設けられている。図3（Ｂ）に示すように、先軸前部16の内周には、先細りし始める位置にインク供給部30と係合するリング状に形成された先軸前部内方突起16aと、継手60に当接するように内周の一部分が肉厚になっている肉厚部16bとが形成されている。
【００１８】
また、先軸前部16の前方には、継手60の先端が挿入できるように縮径された先軸前部縮径孔16cと、先軸前部縮径孔16cの前方に連設しているアウター20が挿入されるアウター挿入孔16dとが設けられている。先軸前部16の先端近傍の外周には、他部材が装着できるような溝が設けられており、滑り止めとなるようなグリップ部材16eが装着されている。
図１（Ｂ）に示すように、後軸12の内径は、先軸後部14の外径と略同径である。図２に示すように、後軸12の内周には、先軸11が後軸12に嵌入した際に先軸11の後端を被覆する位置に、僅かに径が縮小するように形成された後軸テーパー部12aと、内方へ突出した後軸内方突起12bとが設けられている。
【００１９】
ここで、後軸内方突起12bは、先軸外方突起11bと同数設けられており、先軸外方突起11bと対となるように、各先軸外方突起11bの直前に設けられている。
前述のインクタンク外方突起13a及び先軸内方突起11aは係合している。また、先軸外方突起11b及び後軸内方突起12bも係合している。これらの係合によって、インクタンク外方突起13a、先軸内方突起11a、先軸外方突起11b及び後軸内方突起12bが抜け止めとして作用しているため、インクタンク13、先軸11及び後軸12はそれぞれ外れにくくなっている。また、インクタンク外方突起13a及び先軸内方突起11aはそれぞれリング状に形成された突条である。また、先軸外方突起11b及び後軸内方突起12bも同様に、それぞれリング状に形成された突条である。なお、インクタンク外方突起13a及び先軸内方突起11aは何れか一方のみが周に沿ってリング状に形成された突条であってもよい。また、先軸外方突起11b及び後軸内方突起12bも同様に、何れか一方のみが周に沿ってリング状に形成された突条であってもよい。
【００２０】
（インク供給部）
図４及び図５に示すように、インク供給部30は、略筒状で複数のフィン33が外周に櫛歯状に形成されたコレクター31と、棒状のポリエステルファイバーから成り、コレクター31を軸方向に貫通しており、かつ先端にボールペンチップ40の後端が嵌入しているコレクター芯32とからなる。図５に示すように、コレクター31の先端には、内径が拡径している先端保持部34が設けられている。
図４及び図５に示すように、先端保持部34の外周には、先軸前部16の内周に形成された先軸前部内方突起16aに係合し、先軸前部内方突起16aの直前に設けられたリング状のコレクター鍔部34aと、コレクター鍔部34aの前方に連設し、コレクター鍔部34aよりも径が小さいコレクター段部34bと、コレクター段部34bの前方に連設し、コレクター段部34bよりも径が小さいコレクター当接部34cとが設けられている。
【００２１】
コレクター31の後端はインクタンク13と接している。また、コレクター芯32の後方はインクタンク13内に突出しており、前方は継手60の後端から継手60の約１／２の位置まで挿入されている。
（ボールペンチップ）
図６に示すように、ボールペンチップ40は、円筒形状のホルダー42と、ホルダー42に挿入され、ホルダー42の後端から突出する棒状の中芯41と、ホルダー42に保持される筆記ボール50とからなる。ホルダー42の先端には、小口を内方に押圧して縮径変形されたカシメ部42aが形成されている。そして、筆記ボール50の先端は、カシメ部42aの先端縁から露出するようになっている。中芯41はコレクター芯32と同様にポリエステルファイバーにより形成され、中芯41の後端はコレクター芯32の先端に嵌め込まれるとともに、中芯41の先端は筆記ボール50の直後に達しており、コレクター芯32に浸透したインクを吸収して筆記ボール50にインクを供給する。さらに、ボールペンチップ40は、後端から約２／３程度が継手60に保持される。
【００２２】
なお、コレクター芯32及び中芯41は、使用するインクの粘度等の性状に応じて、適切なポリエステルファイバーの気孔率や表面形状を選択して形成される。
（継手）
図４及び図７に示すように、継手60は、略筒状の中心部材61と、中心部材61後方の外周にコレクター31の先端保持部34の厚さ分の空隙部64を有するように、中心部材61の後端から約１／４から約１／３あたりまでに成形された略筒状の周辺部材62と、周辺部材62の先端から中心部材61の先端から約１／３の位置までを覆うように形成された介在部材63とからなる。
【００２３】
中心部材61の内部には、後方からコレクター芯32が挿入され、前方からボールペンチップ40が挿入される。また、中心部材61と周辺部材62との間に形成された空隙部64に先端保持部34が嵌合される。
図８（Ｃ）に示すように、中心部材61の内周には、後端にコレクター芯32と略同径の後方挿入孔61aと、中芯41の後端付近からホルダー42の後端までに位置し、中芯41と略同径の中央挿入孔61bと、ホルダー42の後端から中心部材61の先端までに位置し、ホルダー42と略同径の先方挿入孔61cとが設けられている。中心部材61の外周には、中心部材61の後方挿入孔61aの先端から１／３より後方で、周辺部材62の先端よりも前方に位置し、先端保持部34の外径よりも径が小さい、リング状の中心部材鍔部61eが形成されている。また、中心部材61の外周は、後端から中心部材鍔部61eまでに位置する後方円柱部後部61dと、中心部材鍔部61eから後方挿入孔61aの先端よりも後方に位置する後方円柱部前部61fと、後方円柱部前部61fの先端から中央挿入孔61bの後端のやや前方までに位置する中央円柱部61gと、中央円柱部61gの先端から中心部材61の先端までに位置する前方円柱部61hとからなる。
【００２４】
ここで、後方円柱部後部61d及び後方円柱部前部61fの外径は先端保持部34の内径と略同径で、中央円柱部61gの外径は先軸前部縮径孔16cの径と略同径で、前方円柱部61hの外径はアウター20の後方に設けられた後部挿入孔24の径と略同径である。
図８（Ｃ）に示すように、周辺部材62の内径はコレクター31の先端保持部34の外径と略同径である。周辺部材62の内周には、周辺部材62の後端に位置し、僅かに拡径している、周辺部材拡径部62aと、周辺部材62の後端から約１／２に位置し、リング状に形成された周辺部材内方突起62bとが設けられている。ここで、周辺部材拡径部62aの径はコレクター当接部34cの径よりも小さく、先端保持部34を挿入しやすくするために設けられている。また、周辺部材内方突起62bは、インク供給部30の先端保持部34を周辺部材62と中心部材61で挟持するために設けられている。周辺部材62の外周は、周辺部材62の後端から周辺部材内方突起62bまでに位置する周辺部材後方外周部62cと、周辺部材後方外周部62cに連設している周辺部材中央外周部62dと、周辺部材中央外周部62dに連設し、周辺部材62の先端までに位置する周辺部材前方外周部62eとからなる。周辺部材後方外周部62cの径はコレクター段部34bの径と略同じで、周辺部材中央外周部62dの径は周辺部材後方外周部62cの径よりもやや小さく、周辺部材前方外周部62eの径は周辺部材中央外周部62dの径よりもやや小さい。周辺部材前方外周部62eの先端から約１／２の位置には、リング状の周辺部材外方突部62fが設けられている。前記周辺部材外方突部62fには円周方向に少なくとも一カ所以上の欠部62gが設けられている。ここで、前記欠部62gの外径は、周辺部材前方外周部62eの外径と同一である。
【００２５】
図７及び図９（Ｃ）に示すように、介在部材63は、周辺部材62を覆い、外径が周辺部材外方突部62fの径と略同じ、略円筒状の介在部材後方円柱部63aと、介在部材後方円柱部63aに連設し、中心部材鍔部61eまでを覆い、略円錐形状をしている連結部63bと、連結部63bに連設し、中央円柱部61gの中央付近までを覆い、なだらかな円錐形状をした介在部前方円錐部63cとからなる。介在部材後方円柱部63aは周辺部材前方外周部62eの後端から周辺部材62の欠部62gを介して、周辺部材前方外周部62eの先端まで覆っており、結果として、周辺部材外方突部62fと係合している。介在部材63の内周は中心部材61及び周辺部材62の外周に沿うように形成されており、連結部63bの後端に位置する内径は、周辺部材62の内径と同じであり、連結部63bの前方に位置する内径は、介在部材63の内径から、中心部材鍔部61eの外径となるように、除々に縮径していくようなテーパーを有している。
【００２６】
（二色成形）
継手60は二色成形により成形された部品であり、中心部材61及び周辺部材62を一次成形で成形し、これら中心部材61及び周辺部材62に対し介在部材63を二次成形により一体成形している。介在部材63は連結部63bにおいて、撓りをもたせるため、弾性樹脂材料によって形成される。前記弾性材料としては、成型工程において、金型を用いて、高温下で行うため熱可塑性のエラストマーが望ましい。一次成形体である中心部材61及び周辺部材62の材質はポリアセタール樹脂等の硬質樹脂が望ましい。
【００２７】
（アウター）
図６に示すように、アウター20は円筒状のアウター固定部21と、このアウター固定部21に連設する略円錐形状のアウターテーパー部22とからなる。アウターテーパー部22の先端には面取りされたアウター先端部23が設けられている。また、アウター20には、後端から先端に向けて孔が形成されており、アウター固定部21の内面には、後部挿入孔24が設けられ、アウターテーパー部22の先端付近の内面には、後部挿入孔24よりも小径の前部挿入孔25が設けられている。アウター固定部21はアウター挿入孔16dに装着されることで、先軸11に固定される。そして、アウター20はボールペンチップ40を被覆する。この際、後部挿入孔24に継手60の前方円柱部61hが挿入され、前部挿入孔25には、継手60から突出しているボールペンチップ40が挿入される。図６に示すように、アウター先端部23はから、筆記ボール50と、筆記ボール50を覆うカシメ部42aとが露出している。
【００２８】
（ボールペンの組立）
ボールペン1は次のように組み立てる。まず、コレクター31の先端保持部34を継手60の空隙部64に嵌入させ、コレクター31の後端からコレクター芯32を、継手60の先端から筆記ボール50を抱持させたボールペンチップ40をそれぞれ挿入し、コレクター芯32にボールペンチップ40の中芯41を嵌入させる。組み合わせたコレクター31、コレクター芯32、継手60及びボールペンチップ40を先軸11の後端から挿入する。その後ボールペンチップ40を覆うようにしてアウター20を先軸11の内周に装着する。若しくはアウター20を先軸11の内周に装着した後、組み合わせたコレクター31、コレクター芯32、継手60及びボールペンチップ40を先軸11の後端から挿入して組み立ててもよい。
【００２９】
次に、インクの充填されているインクタンク13の外周に先軸11の後端をインクタンク13の先端がコレクター31の後端に当接するまで外挿させる。
最後に、インクタンク13を覆うようにして後軸12の先端の内周に先軸11の後端を挿入する。先軸11を後軸12に挿入する際は、後軸12の先端が先軸鍔部15に当接するまで挿入させる。
（先軸、後軸及びインクタンクの嵌合方法）
このとき、インクタンク13と先軸11との固定方法は、インクタンク13の先端がコレクター31の後端に当接するように挿入された際に、先軸内方突起11aよりインクタンク外方突起13aを直前に位置させることで、各々の突起が抜け止めとして作用するというものである。
【００３０】
また、インクタンク13が先軸11に挿入された際には、先軸内方突起11aの高さにより、先軸11の後端の内周面とインクタンク13の先端の外周面との間に間隙が生じる。
なお、後軸12とインクタンク13との固定方法は、特に限定するものではない。例えば、後軸12の内径が後端にかけて、インクタンク13の外径より短くなるように形成され、後軸12がインクタンク13を押圧固定する方法や、インクタンク外方突起13aと後軸内方突起12bとが係合するように設けられ、一方の突起が他方の突起を乗り越え、各々の突起が抜け止めとして作用する方法であってもよい。
【００３１】
そして、後軸12と先軸11とは、後軸12が先軸11を被覆した際に、先軸外方突起11bより後軸内方突起12bを直前に位置させ、各々の突起が抜け止めとして作用し、同時に、後軸テーパー部12aによって先軸11の後端が内方に圧縮され、先軸内方突起11aが支点となり間隙を圧縮し、先軸11の後端をインクタンク13に押し当てて、固定するものである。
その結果、先軸11の後端がインクタンク13の外周面に押しつけられ、先軸内方突起11a及びインクタンク外方突起13a並びに先軸外方突起11b及び後軸内方突起12bの抜け止め作用も加わり、強固に固定することが可能となっている。
【００３２】
さらに、先軸内方突起11aを支点として後軸テーパー部12aが先軸11の後端を押圧したことで、反作用により、先軸内方突起11aより前方側が外方に押圧されるため、先軸外方突起11bと後軸内方突起12bとの抜け止め作用が高まり、より強固に固定することが可能となっている。
（第２の実施例）
以下、図１０及び図１１を参照して、本発明の実施形態に係る第２の実施例を説明する。なお、第１の実施例における図５〜図９は、第２の実施例と共通である。また、第２の実施例において、第１の実施例と同一の構成要素には、第１の実施例において用いた符号と同一の符号を用いている。そして、第１の実施例と重複する部分は説明を省略し、第２の実施例における特徴点を中心に説明する。
【００３３】
第２の実施例においては、先軸外方突起11bがネジ山の形状を呈していて、後軸内方突起12bとは螺合によって固定されるといったものである。
（全体構造）
ボールペン1は、図１０（Ａ）及び（Ｂ）に示すように、先端に筆記ボール50を抱持したボールペンチップ40と、ボールペンチップ40にインクを供給するインク供給部30と、ボールペンチップ40及びインク供給部30を繋ぐ継手60と、ボールペンチップ40、継手60及びインク供給部30を内部に収納する軸筒10と、軸筒10先端に装着され、ボールペンチップ40の外周を覆うアウター20とを備えている。
【００３４】
（先軸の構造）
第２の実施例の先軸11は、図１１に示すように、先軸後部14の外周面に沿ってネジ山の形状を呈した先軸外方突起11bが形成されていることを特徴とする。なお、その他の先軸11の構成は、第１の実施例と共通するため説明は省略する。
（先軸、後軸及びインクタンクの嵌合方法）
インクタンク13と先軸11との固定方法は、第１の実施例と共通するため説明は省略する。
【００３５】
後軸12とインクタンク13との固定方法は、第１の実施例と共通するため説明は省略する。
そして、後軸12と先軸11とは、先軸外方突起11bと後軸内方突起12bとを螺合させるように先軸11を後軸12に挿入し、同時に、後軸テーパー部12aによって先軸11の後端が内方に圧縮され、先軸内方突起11aが支点となり間隙を圧縮し、先軸11の後端をインクタンク13に押し当てて、固定するものである。
【産業上の利用可能性】
【００３６】
この発明は、ボールペンやマーカーペンなどの筆記具に利用することができる。
【符号の説明】
【００３７】
1   筆記具又はボールペン                10  軸筒
11  先軸                                11a 先軸内方突起
11b 先軸外方突起                        12  後軸
12a 後軸テーパー部                      12b 後軸内方突起
13  インクタンク                        13a インクタンク外方突起
14  先軸後部                            15  先軸鍔部
16  先軸前部                            16a 先軸前部内方突起
16b 肉厚部                              16c 先軸前部縮径孔
16d アウター挿入孔                      16e グリップ部材
20  アウター                            21  アウター固定部
22  アウターテーパー部                  23  アウター先端部
24  後部挿入孔                          25  前部挿入孔
30  インク供給部                        31  コレクター
32  コレクター芯                        33  フィン
34  先端保持部                          34a コレクター鍔部
34b コレクター段部                      34c コレクター当接部
40  筆記先端又はボールペンチップ        41  中芯
42  ホルダー                            42a カシメ部
50  筆記ボール                          60  継手
61  中心部材                            61a 後方挿入孔
61b 中央挿入孔                          61c 前方挿入孔
61d 後方円柱部後部                      61e 中心部材鍔部
61f 後方円柱部前部                      61g 中央円柱部
61h 前方円柱部                          62  周辺部材
62a 周辺部材拡径部                      62b 周辺部材内方突起
62c 周辺部材後方外周部                  62d 周辺部材中央外周部
62e 周辺部材前方外周部                  62f 周辺部材外方突部
62g 欠部                                63  介在部材
63a介在部材後方円柱部                  63b 連結部
63c介在部前方円錐部                    64  空隙部
【図１】
2015202585.tif 000003
【図２】
2015202585.tif 000004
【図３】
2015202585.tif 000005
【図４】
2015202585.tif 000006
【図５】
2015202585.tif 000007
【図６】
2015202585.tif 000008
【図７】
2015202585.tif 000009
【図８】
2015202585.tif 000010
【図９】
2015202585.tif 000011
【図１０】
2015202585.tif 000012
【図１１】
2015202585.tif 000013
【手続補正書】
【提出日】平成27年4月6日(2015.4.6)
【手続補正１】
【補正対象書類名】明細書
【補正対象項目名】００１８
【補正方法】変更
【補正の内容】
【００１８】
また、先軸前部16の前方には、継手60の先端が挿入できるように縮径された先軸前部縮径孔16cと、先軸前部縮径孔16cの前方に連設しているアウター20が挿入されるアウター挿入孔16dとが設けられている。先軸前部16の先端近傍の外周には、他部材が装着できるような溝が設けられており、この溝には滑り止めとなるようなグリップ部材16eが装着されている。
図１（Ｂ）に示すように、後軸12の内径は、先軸後部14の外径と略同径である。図２に示すように、後軸12の内周には、先軸11が後軸12に嵌入した際に先軸11の後端を被覆する位置に、僅かに径が縮小するように形成された後軸テーパー部12aと、内方へ突出した後軸内方突起12bとが設けられている。
【手続補正２】
【補正対象書類名】明細書
【補正対象項目名】００２０
【補正方法】変更
【補正の内容】
【００２０】
（インク供給部）
図４及び図５に示すように、インク供給部30は、略筒状で複数のフィン33が外周に櫛歯状に形成されたコレクター31と、棒状のポリエステルファイバーから成り、コレクター31を軸方向に貫通しており、かつ先端が継手60の後端に嵌入しているコレクター芯32とからなる。図５に示すように、コレクター31の先端には、内径が拡径している先端保持部34が設けられている。
図４及び図５に示すように、先端保持部34の外周には、先軸前部16の内周に形成された先軸前部内方突起16aに係合し、先軸前部内方突起16aの直前に設けられたリング状のコレクター鍔部34aと、コレクター鍔部34aの前方に連設し、コレクター鍔部34aよりも径が小さいコレクター段部34bと、コレクター段部34bの前方に連設し、コレクター段部34bよりも径が小さいコレクター当接部34cとが設けられている。
【手続補正３】
【補正対象書類名】明細書
【補正対象項目名】００２７
【補正方法】変更
【補正の内容】
【００２７】
（アウター）
図６に示すように、アウター20は円筒状のアウター固定部21と、このアウター固定部21に連設する略円錐形状のアウターテーパー部22とからなる。アウターテーパー部22の先端には面取りされたアウター先端部23が設けられている。また、アウター20には、後端から先端に向けて孔が形成されており、アウター固定部21の内面には、後部挿入孔24が設けられ、アウターテーパー部22の先端付近の内面には、後部挿入孔24よりも小径の前部挿入孔25が設けられている。アウター固定部21はアウター挿入孔16dに装着されることで、先軸11に固定される。そして、アウター20はボールペンチップ40を被覆する。この際、後部挿入孔24に継手60の前方円柱部61hが挿入され、前部挿入孔25には、継手60から突出しているボールペンチップ40が挿入される。図６に示すように、アウター先端部23から、筆記ボール50と、筆記ボール50を覆うカシメ部42aとが露出している。